(57)【特許請求の範囲】
【請求項１】
表示部材によって情報表示可能な情報表示装置であって、
前記情報表示装置は、枠型の本体部と、少なくとも１つの扉部を有し、
前記扉部は、前記本体部に対して開閉可能であり、
前記表示部材は、前記扉部側及びそれと対面する側でそれぞれ情報表示可能であり、
前記本体部の内部には、ロール状で巻き取り方向に一定の張力を有した巻取部材と、前記表示部材を支持する補助部材を有し、
前記巻取部材は、前記本体部の幅方向と略同じ長さを有し、前記本体部の下部あるいは上部で前記扉部と対面する側に設けられ、
前記補助部材は、前記本体部の幅方向に長さを有し、前記巻取部材が前記本体部の下部に設けられた場合は前記本体部の上部に設けられ、前記巻取部材が前記本体部の上部に設けられた場合は前記本体部の下部に設けられるものであり、
前記表示部材は、一方の端部が前記本体部の前記扉部側に固定され、前記一方の端部と対向する側の端部である他方の端部が前記巻取部材に固定され、略中間部が前記補助部材に支持されるものであり、
前記巻取部材に対して、巻き取り方向に作用する張力と反対方向の力を加え、前記本体部の外部に前記巻取部材の巻き取り方向の端部を配置させ、前記巻取部材への前記表示部材の取り付けあるいは前記巻取部材から前記表示部材の取り外しを可能とすることを特徴とする情報表示装置。
【請求項２】
前記本体部は、前記扉部側の下部に作業台が備えられ、前記表示部材の一方の端部が固定可能とされていることを特徴とする請求項１に記載の情報表示装置。
【請求項３】
前記作業台は前記本体部から取り外し可能であることを特徴とする請求項２に記載の情報表示装置。
【請求項４】
前記補助部材は、略円筒状で、円周方向に回転可能であることを特徴とする請求項１乃至３のいずれかに記載の情報表示装置。
【請求項５】
前記本体部内部には、照明器具が設けられており、
前記照明器具は、前記本体部の側面に挟まれて支持されていることを特徴とする請求項１乃至４のいずれかに記載の情報表示装置。
【請求項６】
前記巻取部材は、停止機構を有しており、
前記停止機構は、固定された前記表示部材を張力により巻き取る際に、扉部側とそれと対面する側の両方から前記表示部材の情報を確認でき得る位置で巻き取り動作を停止することを特徴とする請求項１乃至５のいずれかに記載の情報表示装置。
【請求項７】
前記表示部材の前記補助部材に支持されている近傍は、繋ぎ部であって、
前記繋ぎ部は、前記表示部材の前記扉部側と前記扉部と対向する側とを繋ぎ、一連した前記表示部材としていることを特徴とする請求項１乃至６のいずれかに記載の情報表示装置。
【発明の詳細な説明】
【技術分野】
【０００１】
本発明は、ポスターや広告等の情報を本体の両面に表示可能な情報表示装置に関するものであり、特には片面のみに設けた扉からポスターや広告等を取り付けあるいは取り外し可能な情報表示装置である。
【背景技術】
【０００２】
情報表示装置は、商品の宣伝や映画館の上映内容の表示、あるいはサッカーや陸上競技場等での宣伝のために使用される、広告媒体を設置できるものである。
情報表示装置は、内部に広告等の表示部材と照明器具を備え、情報が表示される側に光りを照射し、広告等の視認性を上げることができる。
【０００３】
従来の情報表示装置は、片方向のみに情報を表示したものが多い。そのような装置は、片面の扉から情報表示装置内部に設けられた固定板に、広告等を貼り付けるものが一般的である。
また、上記した方向と対面する側にも情報が表示された装置であれば、それぞれの情報表示面側に扉を設けていることが一般的である。そのため、各々の扉側から広告等を取り付けまたは取り外さなければならない。
【０００４】
特許文献１には、上記した装置の両方向から情報が表示された情報表示装置が開示されている。
【特許文献１】特開２００１−２８２１４８号公報
【発明の開示】
【発明が解決しようとする課題】
【０００５】
しかし、特許文献１のような情報表示装置は、装置の略中央、つまり表示部材に挟まれた位置に照明器具等が設けられているため、情報を取り付ける個所が２つに分断されている。そのため、それぞれの扉側から新しい広告等の表示部材を取り付けまたは取り替える煩わしさが生じる。
また、情報表示装置を設置する条件によっては、片方の扉を開けることが困難で、広告等を取り付けることができない問題が生じる。
【０００６】
そこで本発明は、上述した欠点に鑑み、片方の扉側から広告等の表示部材を容易に取り付けあるいは取り外し可能とした情報表示装置を提供することを課題とする。
【課題を解決するための手段】
【０００７】
上記課題を解決するため、請求項１の発明は、表示部材によって情報表示可能な情報表示装置であって、前記情報表示装置は、枠型の本体部と、少なくとも１つの扉部を有し、前記扉部は、前記本体部に対して開閉可能であり、前記表示部材は、前記扉部側及びそれと対面する側でそれぞれ情報表示可能であり、前記本体部の内部には、ロール状で巻き取り方向に一定の張力を有した巻取部材と、前記表示部材を支持する補助部材を有し、前記巻取部材は、前記本体部の幅方向と略同じ長さを有し、前記本体部の下部あるいは上部で前記扉部と対面する側に設けられ、前記補助部材は、前記本体部の幅方向に長さを有し、前記巻取部材が前記本体部の下部に設けられた場合は前記本体部の上部に設けられ、前記巻取部材が前記本体部の上部に設けられた場合は前記本体部の下部に設けられるものであり、前記表示部材は、一方の端部が前記本体部の前記扉部側に固定され、前記一方の端部と対向する側の端部である他方の端部が前記巻取部材に固定され、略中間部が前記補助部材に支持されるものであり、前記巻取部材に対して、巻き取り方向に作用する張力と反対方向の力を加え、前記本体部の外部に前記巻取部材の巻き取り方向の端部を配置させ、前記巻取部材への前記表示部材の取り付けあるいは前記巻取部材から前記表示部材の取り外しを可能とすることを特徴とする情報表示装置である。
【０００８】
本発明における情報表示装置は、表示部材の中間部が補助部材に支持され、両端部が巻取部材と本体部に固定される構成とすることで、１枚の表示部材で情報表示装置の両面に情報を表示することが可能となる。また、巻取部材は、巻き取る方向に一定の張力を有しているため、その張力と反対方向に力を加えて所定の位置まで引っ張っても、力を解放すると巻き取られ、元の位置まで戻ろうとする。そのため、新たな表示部材の取り替えの際、従来の装置に比べると取り替えの手間が軽減し、容易に取り替え作業ができる。また、巻取部材の張力は、表示部材に常に一定の張力を与えており、表示部材にしわや撓み等が生じることはない。つまり表示した情報は、視認者にとって見やすいものとなる。さらに、情報表示装置に設けられた１カ所の扉部から、装置の両面における表示部材の取り付け及び取り外しが可能である。つまり、本体部の内部において、表示部材が扉部側とそれと対向する側を往来する。そのため、作業の煩わしさを生じさせることはない。また、装置の両面に情報が表示でき、且つ情報表示装置に設けた扉部が１カ所であれば、装置を設置できるための条件が緩くなるため、従来設置できなかった場所への検討が可能となる。
【０００９】
請求項２の発明は、請求項１の発明において、前記本体部は、前記扉部側の下部に作業台が備えられ、前記表示部材の一方の端部が固定可能とされていることを特徴とする情報表示装置である。
【００１０】
請求項２の情報表示装置は、本体部に作業台を備え、そこに表示部材の一端を固定できる構成であるため、表示部材の位置決めが容易である。
【００１１】
請求項３の発明は、請求項２の発明において、前記作業台は前記本体部から取り外し可能であることを特徴とする情報表示装置である。
【００１２】
請求項３の情報表示装置は、本体部に備えられた作業台が取り外し可能であるため、表示部材を取り替える際に、表示部材が固定された作業台ごと引っ張り、新しい表示部材に取り替えることができる。つまり、表示部材の交換に時間がかからず、容易に取り替え作業を行うことが可能となる。
【００１３】
請求項４の発明は、請求項１乃至３に記載の発明において、前記補助部材は、略円筒状で、円周方向に回転可能であることを特徴とする情報表示装置である。
【００１４】
請求項４の情報表示装置は、表示部材を中間部で支持する補助部材が、円筒状で円周方向に回転可能であるため、表示部材の取り付け及び取り替えの際に、表示部材を傷めることなく、円滑な作業を行うことができる。また、巻取部材による一定の張力が、補助部材に引っかかる問題がなく、全体に伝わり表示部材のしわ等の発生の心配がない。
【００１５】
請求項５の発明は、請求項１乃至４のいずれかに記載の発明において、前記本体部内部には、照明器具が設けられており、前記照明器具は、前記本体部の側面に挟まれて支持されていることを特徴とする情報表示装置である。
【００１６】
請求項５の情報表示装置は、照明器具が本体部の側面に支持されることで、表示部材が照明器具に干渉されることなく取り付け及び取り替えが可能となる。ここで、従来の装置の場合、本体部の略中央に設けられた照明器具は、本体部内部の高さ方向の長さいっぱいに設置されていた。そのため、装置の両面に情報を表示する場合、それぞれの面に扉を設け、それぞれの扉から表示部材を取り付ける必要があった。しかし、本発明では、照明器具が本体部の側面によって支持されているので、本体部上方及び下方の中央に空間が形成され、表示部材が扉部側とそれと対面する側を往来することが可能となり、表示部材の容易な取り替えができる構成となる。
【００１７】
請求項６の発明は、請求項１乃至５のいずれかに記載の発明において、前記巻取部材は、停止機構を有しており、前記停止機構は、固定された前記表示部材を張力により巻き取る際に、扉部側とそれと対面する側の両方から前記表示部材の情報を確認でき得る位置で巻き取り動作を停止することを特徴とする情報表示装置である。
【００１８】
請求項６の情報表示装置は、巻取部材が巻き取り動作の際に、所定位置で巻き取り動作を停止するため、表示部材を巻取部材の張力により傷める心配がない。さらに、所定位置で停止するため表示部材の視認者に対する表示がずれることがなく、煩わしい調整等の作業をする必要がない。
【００１９】
請求項７の発明は、請求項１乃至６のいずれかに記載の発明において、前記表示部材の前記補助部材に支持されている近傍は、繋ぎ部であって、前記繋ぎ部は、前記表示部材の前記扉部側と前記扉部と対向する側とを繋ぎ、一連した前記表示部材としていることを特徴とする情報表示装置である。
【００２０】
請求項７の情報表示装置は、表示部材は繋ぎ部によって繋がれているため、全く異なる企業の広告等も容易に繋ぎ部を介して繋いで表示することができる。また、繋ぎ部は、情報が表示されるものではなく、本体部内部の補助部材によって支持されるものなので、表示部材の張力方向の長さを調整することも可能である。
【発明の効果】
【００２１】
本発明の情報表示装置は、本体部内部に巻取部材と補助部材を設け、表示部材を片方の扉部側から容易に取り付けあるいは取り外すことができる。
【発明を実施するための最良の形態】
【００２２】
次に本発明の実施形態である情報表示装置１について図面を参照にしながら詳細に説明する。図１は、本発明の実施形態である情報表示装置１（以下、装置１とも言う）の斜視図である。情報表示装置１は、本体部１１と扉部１２で構成されている。
情報表示装置１は、本体部１１内部に取り付けられた広告等の表示部材２によって、視認者が表示された情報を認識できるものである。
【００２３】
図１に示すように、扉部１２は、本体部１１の枠型と略同じ大きさで、本体部１１に対して開閉可能とするオイルダンパー１３が設けられており、扉部１２と本体部１１には、オイルダンパー１３との接続にヒンジが設けられている。オイルダンパー１３はショックアブソーバー構造である。
また本実施形態では、オイルダンパー１３が本体部１１に対して上方側近傍で、枠の内部側面に１つずつ設けられている。そのため、扉部は本体部１１の下部側から開く。
また、扉部１２の外部側には、扉部１２の枠を覆うように扉部１２と略同じ大きさの板状の透明部材３２が設けられている。透明部材３２は、ガラスやアクリル樹脂等の透明性が高いものが採用されている。
【００２４】
図２に示すように、本体部１１は、内部に設けられた表示部材２と照明器具３と巻取部材４と補助部材５と作業台１６と、外部の透明部材３１で構成されている。
表示部材２は、図４に示すように、情報が表示される表示部１８，１９とそれら表示部１８，１９とを繋ぐ繋ぎ部２０とで構成されている。
【００２５】
照明器具３は、照明部１７と上部ソケット部２３ｃと下部ソケット部２３ｄとで構成されている。照明部１７は、細長い４本の蛍光灯が採用されており、両端部が細長い略四角柱の上部ソケット部１４ｃ及び下部ソケット部１４ｄに接続されている。
本実施形態では、照明部１７に細長い蛍光灯を採用したが、本発明はこれに限定されるわけではない。ＬＥＤや水銀灯等、他の照明であっても構わない。
【００２６】
また、上部ソケット部２３ｃ及び下部ソケット部２３ｄは、図２，３に示すように、支持部材１５を介して本体部１１に固定されている。ここで支持部材１５とは、上部ソケット部２３ｃ及び下部ソケット部２３ｄを長手方向両端から挟んで固定するものである。上部ソケット部２３ｃ及び下部ソケット部２３ｄの本体部１１への固定は略同じであるため、一方の説明により他方は省略する。
支持部材１５は、張出部２１と固定部２２を有している。張出部２１は、略四角柱であり、長手方向に長さが調整可能で、固定部２２は、略板状である。
張出部２１の端部が上部ソケット部２３ｃの長手方向端部と接し、その張出部２１の端部と反対側の固定部２２が本体部１１の側面３３ａ，３３ｂと接し、上部ソケット部２３ｃを２つの支持部材１５によって両端から挟むように固定している。
【００２７】
巻取部材４は、図２に示すように、フィルム等の薄いシートがロール状巻かれた略円筒状のもので、本体部１１の幅方向の長さと略同じあるいはそれ以下の長さを有するものである。また巻取部材４は、両端部において本体部１１の高さ方向長さを有する側面３３ａ，３３ｂに支持されている。
巻取部材４は、ぜんまいバネ等の張力を有しており、常にロール状に巻き取る方向に力が働いている。また巻き取る際は、巻取部材４が有する停止機構により所定位置に停止する構成を有している。
【００２８】
また、巻取部材４の両端近傍には、フィルム等の薄いシートがロール状に巻き付く際に、一端側や全体に乱れて巻き付かないようにガイド部材３５が設けられている。ガイド部材３５は、巻取部材４の円筒の外周よりも大きい外周を有し、巻取部材４と同程度の貫通孔を有する略円盤形状である。
【００２９】
補助部材５は、円筒状で、本体部１１の幅方向に長さを有する構成である。なお本実施形態の補助部材５は、本体部１１内部の幅と略同じ長さを有している。つまり、補助部材５の両端において本体部１１の高さ方向長さを有する側面３３ａ，３３ｂに支持されている。
また、補助部材５の前記長さは、本体部１１内部の幅の長さ以下であっても構わない。その場合、補助部材５の一端部のみが本体部１１と接続された構成等となる。
【００３０】
また、本実施形態の補助部材５は、扉部１２側とそれと対面する側に１つずつ設けられている。つまり表示部材２は、この補助部材５の上部に支持される構成となる。
また、補助部材５の両端近傍にも巻取部材４と同様にガイド部材３４が設けられている。形状及び効果は上記したものと略同様である。
このような構成とすることで、本体部１１と本体部１１上部に設けられたソケット部１４ｃとの間に形成された空間に表示部材２が通されるため、表示部材２は照明器具３と干渉することがない。
【００３１】
作業台１６は、断面形状がＬ字状であり、本体部１１の幅方向の長さと略同じあるいはそれ以下の長さを有している。作業台１６には、表示部材２が接着物によって固定される。例えば、テープや糊などによって固定される。
また、作業台１６は本体部１１の内部に固定されるものであるが、表示部材２を取り替える等の際は、本体部１１から取り外すことも可能である。
【００３２】
透明部材３１は、上記した扉部１２に設けられた透明部材３２と略同程度の大きさ及び部材で構成されている。
また、本体部１１の側面３３ａ，３３ｂには、上記した扉部１２に接続されたそれぞれのオイルダンパー１３の端部がヒンジを介して接続されている。これによって、扉部１２が本体部１１に対して開閉可能となる。
【００３３】
次に図面を参照にして、本実施形態の情報表示装置１における各部材の組み合わせ構成について詳細に説明する。
【００３４】
図１に示すように、情報表示装置１は、装置１の略中央に照明器具３が設けられており、照明部１７を両端から挟むように接続された上部ソケット部２３ｃ及び下部ソケット部２３ｄが、支持部材１５を介して本体部１１の側面３３ａ，３３ｂに固定されている。このような構成であるため、本体部１１の内部の高さ方向上方及び下方は、空間が形成され、その空間に表示部材２が通される。つまり、装置１の両面に広告等の情報が表示できる場合であっても、扉部１２が設けられた片側から両面の表示部材２を取り付けあるいは取り外すことができる。また、本発明では、表示部材２は異なる２つの広告あるいはポスター等であっても、繋ぎ部２０を用いることによって一連の表示部材２とすることができるため、容易に本体部１１への取り付けが可能である。
【００３５】
つまり照明器具３は、一連した表示部材２によって挟まれる構成である。
表示部材２は、図４に示すように一端側が巻取部材４に固定されており、他端側が作業台１６に固定されている。そして表示部材２の略中間部は、補助部材５によって支持されている。詳しく説明すると、上記したと本体部１１内部の上方側に形成された空間に補助部材５が設けられており、それによって支持されている。このとき、巻取部材４と補助部材５にそれぞれ設けられたガイド部材３４，３５は、表示部材２及び巻取部材４のシートの幅方向両端に配置している。
【００３６】
そして図１に示す扉部１２が閉じられた状態（図示しない）が、視認者によって情報が確認できる状態となる。このとき、扉部１２側とそれと対面する側の両方から情報を確認することが可能である。
【００３７】
次に本実施形態の情報表示装置１における表示部材２の取り付け及び取り替え方法を説明する。
【００３８】
まず、初めて表示部材２を装置１に取り付ける方法を説明する。
最初に扉部１２が開く方向に力を加え、内部が外部と連通する状態にする。そして、扉部１２と対向する側の下部に設けられた巻取部材４の端部を本体部１１内部上方に引っ張り、補助部材５の上方に通し、巻取部材４端部を外部に案内する。
【００３９】
次にその巻取部材４の端部に表示部材２の一端部を固定し、表示部材２の他端部を作業台１６に固定する。
なお表示部材２は、予め繋ぎ部２０を取り付け、一連のものとしておくことが望ましい。
【００４０】
巻取部材４は、巻き取る方向に張力を有するため、張力と反対方向に加えた力をゆっくりと解放していくと、巻取部材４の張力によって巻取部材４の端部が本体部１１の内部にゆっくりと収まる。それに伴って、巻取部材４に固定された表示部材２が本体部１１の内部に案内される。
このとき、巻取部材４が有する停止機構１４によって、所定位置まで巻き取り動作を行うと、巻き取り動作を停止する。言い換えれば、表示部材２をわざわざ調整しなくとも視認者にとって、最も見やすい位置で停止する。
そして作業台１６を本体部１１に固定し、扉部１２を閉じる。
【００４１】
表示部材２を新しいものと取り替えるあるいは取り外す方法を説明する。
まず扉部１２を開け、作業台１６を外部に案内し、巻取部材４端部が外部に案内されるまで外部方向に力を加える。そして、巻取部材４の端部に固定された表示部材２を取り外し、新たな表示部材２の一端部を固定する。そして、作業台１６に固定された表示部材２の端部を取り外し、新たな表示部材２の他端部を作業台１６に固定する。後は上記した方法と略同様である。
【００４２】
また、表示部材２を取り外すのみの場合は、巻取部材４から表示部材２を取り外した後、巻取部材４の端部を手等で挟んで保持しながら、ゆっくりと巻取部材４に加えた力を解放しながら、所定の位置に戻す。
【００４３】
上記実施形態の情報表示装置１では、照明部１７に蛍光灯を用いて、本体部１１の高さ方向に接続されるように備えたが、本発明はこれに限定されるわけではない。
例えば照明部１７は、本体部１１の幅方向に接続されるように備えてもよい。その場合、上記した実施形態と同様に、本体部１１内部の高さ方向上方及び下方に空間が形成される構成とすることが好ましい。
【００４４】
上記実施形態の情報表示装置１では、表示部材２を固定する巻取部材４と作業台１６を本体部１１の下方に設け、補助部材５を本体部１１の上方に設ける構成としたが、本発明はこれに限定されるわけではない。
例えば、補助部材５を本体部１１の下方に設け、巻取部材４と作業台１６を本体部１１の上方に設ける構成としてもよい。この場合、上記した実施形態の作業台１６、あるいは作業台１６を備える本体部１１の構成を変える必要がある。例えば、本体部１１の上方に作業台１６を係合する係合部を設ける、あるいは作業台１６を強力な磁石にすることである。
【００４５】
上記実施形態の情報表示装置１では、扉部１２を開ける手段としてショックアブソーバー構造のオイルダンパー１３を用いた構成を示したが、本発明はこれに限定されるわけではない。
例えば、扉部１２が上下左右にスライドして開く構成や、扉部１２を外すことができる構成であっても構わない。
【００４６】
上記実施形態の情報表示装置では、巻取部材４及び作業台１６が本体部１１の高さ方向下方に設けられ、補助部材５が本体部１１の高さ方向上方に設けられた構成を示したが、本発明はこれに限定されるわけではない。
例えば、巻取部材４及び作業台１６が本体部１１の高さ方向上方に設けられ、補助部材５が本体部１１の高さ方向下方に設けられる構成であっても構わない。
【図面の簡単な説明】
【００４７】
【図１】情報表示装置を示す斜視図である。
【図２】図１に示す情報表示装置の本体部の正面図である。
【図３】図１に示す情報表示装置のＥ−Ｅ断面図である。
【図４】図１に示す表示部材の斜視図である。
【符号の説明】
【００４８】
１    情報表示装置
２    表示部材
３    照明器具
４    巻取部材
５    補助部材
１１    本体部
１２    扉部
１５    支持部材
１６    作業台
２０    繋ぎ部
【図１】
0005101381.tif 000002
【図２】
0005101381.tif 000003
【図３】
0005101381.tif 000004
【図４】
0005101381.tif 000005